(57)【要約】【課題】組み立てにあたって作業効率の向上を図りながら、十分に集塵電極の変形を抑制することができる電気集塵装置を提供する。【解決手段】電気集塵装置５１は、接地されつつ第１支持体５４ａおよび第２支持体５４ｂの間の空間に配置されてイオン化線６４に平行に広がるグラウンド板６９と、グラウンド板６９から連続して、気流の流通方向にイオン化線６４の下流に配置される集塵電極７２と、グラウンド板６９の上流で気流の吸込口５６を区画するアッパーフレーム５７と、イオン化線６４に交差する仮想平面に平行な姿勢でイオン化線６４の線方向に一定の間隔で配列されて吸込口５６を横切る複数の縦桟６３と、複数のうちから選ばれた縦桟６３ａごとに一体に形成されて、ロワーフレーム５５に向かってグラウンド板６９に押し当てられる加圧片８９とを備える。【選択図】図７
2018122243.tif 000002
【特許請求の範囲】
【請求項１】
第１フレームと、
前記第１フレームに設けられ、空気中の微粒子に電荷を与えるためのイオン化線を支持する第１支持体および第２支持体と、
接地されつつ前記第１フレームに支持され、前記第１支持体および前記第２支持体の間の空間に配置されて前記イオン化線に平行に広がって気流の流通方向を規定するグラウンド板と、
前記グラウンド板から電気的に連続して、前記流通方向に前記イオン化線の下流に配置され、前記イオン化線に交差する仮想平面に平行な姿勢で前記イオン化線の線方向に一定の間隔で配列される複数枚の第１電極板を有する集塵電極と、
前記第１電極板の板面に向き合いつつ一定の間隔で配列される複数枚の第２電極板を有する非集塵電極と、
前記第１フレームに結合されて前記グラウンド板の上流で気流の吸込口を区画し、前記第１支持体および前記第２支持体の間で前記イオン化線に接触する押さえ片を有する第２フレームと、
前記第２フレームに一体に形成されて、前記イオン化線に交差する仮想平面に平行な姿勢で前記イオン化線の線方向に一定の間隔で配列されて前記吸込口を横切る複数の縦桟と、
複数のうちから選ばれた前記縦桟ごとに一体に形成されて、前記第１フレームに向かって前記グラウンド板に押し当てられる加圧片と
を備えることを特徴とする電気集塵装置。
【請求項２】
請求項１に記載の電気集塵装置において、前記第１フレームに形成されて、前記イオン化線の線方向に前記集塵電極の両端に連結される２つの係り止め片を有することを特徴とする電気集塵装置。
【請求項３】
請求項２に記載の電気集塵装置において、
前記第２フレームは、前記イオン化線の線方向に前記吸込口を２つに分割する位置で前記押さえ片を支持する仕切りを有し、
前記集塵電極は、前記イオン化線の線方向に前記仕切りの両側でそれぞれ個別に前記グラウンド板を支持し、
前記加圧片は前記イオン化線の線方向に個々の前記グラウンド板ごとに配置されることを特徴とする電気集塵装置。
【請求項４】
請求項１〜３に記載の電気集塵装置を備えることを特徴とする空気調和機。
【発明の詳細な説明】
【技術分野】
【０００１】
本発明は、例えば空気調和機に組み込まれる電気集塵装置に関する。
【背景技術】
【０００２】
特許文献１は空気清浄装置を開示する。空気清浄装置は相互に結合される樹脂製のアッパーフレームおよびロアーフレームを備える。アッパーフレームには横方向に並んで２つの吸込口が区画される。個々の吸込口ごとに集塵電極が配置される。アッパーフレームには、イオン化線の中央付近に接触する押え片が設けられている。
【先行技術文献】
【特許文献】
【０００３】
【特許文献１】特許第３５９７４０５号公報
【発明の概要】
【発明が解決しようとする課題】
【０００４】
特許文献１に開示の空気清浄装置では、２つの集塵電極が個別にロアーフレームに取り付けられるので、組み立て作業時の作業効率が悪い。２つの吸込口に対して集塵電極を１つに繋げて成形すれば、作業効率は高まるものの集塵電極がたわむため、グラウンド板とイオン化線との間隔は一定に維持されることができなくなってしまう。アッパーフレームに押し当て部を設けてロアーフレームに対して集塵電極を押し当てれば、集塵電極の変形を抑制できる。
【０００５】
一般的に、空気中の塵埃の抵抗値は樹脂の抵抗値よりも低い。そのため、空気清浄装置のアッパーフレームのイオン化線側の面に塵埃が多く付着すると、アッパーフレームの押し当て部とイオン化線に接触する押え片との間の、アッパーフレームのイオン化線側の面の絶縁抵抗が低くなる。集塵電極を押える押し当て部とイオン化線に接触する押え片との間のアッパーフレームのイオン化線側の面で、短絡が発生してしまう。
【０００６】
本発明は、組み立てにあたって作業効率の向上を図りながら、集塵電極の変形を抑制しつつ、押し当て部と押え片との間の絶縁抵抗を従来より高くすることができる電気集塵装置を提供することを目的とする。
【課題を解決するための手段】
【０００７】
本発明の一形態に係る電気集塵装置は、第１フレームと、前記第１フレームに設けられ、空気中の微粒子に電荷を与えるためのイオン化線を支持する第１支持体および第２支持体と、接地されつつ前記第１フレームに支持され、前記第１支持体および前記第２支持体の間の空間に配置されて前記イオン化線に平行に広がって気流の流通方向を規定するグラウンド板と、前記グラウンド板から電気的に連続して、前記流通方向に前記イオン化線の下流に配置され、前記イオン化線に交差する仮想平面に平行な姿勢で前記イオン化線の線方向に一定の間隔で配列される複数枚の第１電極板を有する集塵電極と、前記第１電極板の板面に向き合いつつ一定の間隔で配列される複数枚の第２電極板を有する非集塵電極と、前記第１フレームに結合されて前記グラウンド板の上流で気流の吸込口を区画し、前記第１支持体および前記第２支持体の間で前記イオン化線に接触する押さえ片を有する第２フレームと、前記第２フレームに一体に形成されて、前記イオン化線に交差する仮想平面に平行な姿勢で前記イオン化線の線方向に一定の間隔で配列されて前記吸込口を横切る複数の縦桟と、複数のうちから選ばれた前記縦桟ごとに一体に形成されて、前記第１フレームに向かって前記グラウンド板に押し当てられる加圧片とを備える。
【０００８】
イオン化線に電圧が印加されると、イオン化線からグラウンド板に向かって放電が実現される。グラウンド板に沿って流れる気流中の微粒子は放電で帯電する。非集塵電極にイオン化線と同極性の電圧が印加されると、帯電した微粒子は、第１電極板と第２電極板との間を通過する際に、第２電極板に反発して第１電極板に向かって進路を曲げる。こうして微粒子は集塵電極に効率的に捕獲される。第１フレームに第２フレームが結合されると、加圧片は第１フレームに向かってグラウンド板および集塵電極を押し付ける。集塵電極の変形は抑制される。加圧片は選ばれた縦桟だけに形成されるので、全ての縦桟がグラウンド板に接触する場合に比べて、第２フレームとグラウンド板との接触面積は著しく抑制される。したがって、第２フレームのイオン化線側の面において、第２フレームに形成されるイオン化線に接触する押さえ片と集塵電極に接触する加圧片の間の絶縁抵抗を高くすることができる。イオン化線とグラウンド板との間で高い絶縁抵抗は維持されることができる。
【０００９】
電気集塵装置は、前記第１フレームに形成されて、前記イオン化線の線方向に前記集塵電極の両端に連結される２つの係り止め片を有してもよい。集塵電極は長手方向に両端で第１フレームに係り止めされる。加圧片は長手方向に両端の間の任意の位置で第１フレームに向かって集塵電極を押し当てる。したがって、たとえ集塵電極が長く形成されても、集塵電極の変形は確実に抑制されることができる。
【００１０】
電気集塵装置では、前記第２フレームは、前記イオン化線の線方向に前記吸込口を２つに分割する位置で前記押さえ片を支持する仕切りを有してもよく、前記集塵電極は、前記イオン化線の線方向に前記仕切りの両側でそれぞれ個別に前記グラウンド板を支持すればよく、前記加圧片は前記イオン化線の線方向に個々の前記グラウンド板ごとに配置されればよい。イオン化線の線方向に並んで２つの吸込口が区画される。仕切りの位置でグラウンド板は途切れることから、集塵電極の剛性は仕切りの位置で弱まる。それでも、仕切りの両側で個々のグラウンド板ごとに加圧片は配置されることから、集塵電極の変形は抑制される。
【００１１】
以上のような電気集塵装置は空気調和機に用いられることができる。空気調和機は空気の吸込口に電気集塵装置を備えればよい。こうして空気調和機は空気清浄機の機能を有することができる。
【発明の効果】
【００１２】
以上のように開示の電気集塵装置によれば、組み立てにあたって作業効率の向上を図りながら、集塵電極の変形を抑制しつつ、押し当て部と押え片との間の絶縁抵抗を従来より高くすることができる電気集塵装置は提供される。
【図面の簡単な説明】
【００１３】
【図１】本発明の一実施形態に係る空気調和機の構成を概略的に示す概念図である。
【図２】一実施形態に係る室内機の外観を概略的に示す斜視図である。
【図３】室内機の本体の構成を概略的に示す斜視図である。
【図４】室内機の構造を概略的に示す分解斜視図である。
【図５】第２フレーム（アッパーフレーム）を取り外した状態で電気集塵ユニットを概略的に示す拡大斜視図である。
【図６】第２フレームを除いた電気集塵ユニットの分解斜視図である。
【図７】電気集塵ユニットの断面図である。
【発明を実施するための形態】
【００１４】
以下、添付図面を参照しつつ本発明の一実施形態を説明する。
【００１５】
（１）空気調和機の構成
図１は本発明の一実施形態に係る空気調和機１１の構成を概略的に示す。空気調和機１１は室内機１２および室外機１３を備える。室内機１２は例えば建物内の室内空間の壁面の上部に設置される。その他、室内機１２は室内空間に相当する空間に設置されればよい。室内機１２には室内熱交換器１４が組み込まれる。室外機１３には圧縮機１５、室外熱交換器１６、膨張弁１７および四方弁１８が組み込まれる。室内熱交換器１４、圧縮機１５、室外熱交換器１６、膨張弁１７および四方弁１８は冷凍回路１９を形成する。室外機１３は、室外空気との熱交換が可能な屋外に設置されればよい。
【００１６】
冷凍回路１９は第１循環経路２１を備える。第１循環経路２１は四方弁１８の第１口１８ａおよび第２口１８ｂを相互に結ぶ。第１循環経路２１には圧縮機１５が組み込まれる。圧縮機１５の吸入管１５ａは四方弁１８の第１口１８ａに冷媒配管を介して接続される。第１口１８ａからガス冷媒は圧縮機１５の吸入管１５ａに供給される。圧縮機１５は低圧のガス冷媒を所定の圧力まで圧縮する。圧縮機１５の吐出管１５ｂは四方弁１８の第２口１８ｂに冷媒配管を介して接続される。圧縮機１５の吐出管１５ｂからガス冷媒は四方弁１８の第２口１８ｂに供給される。冷媒配管は例えば銅管であればよい。
【００１７】
冷凍回路１９は第２循環経路２２をさらに備える。第２循環経路２２は四方弁１８の第３口１８ｃおよび第４口１８ｄを相互に結ぶ。第２循環経路２２には、第３口１８ｃ側から順番に室外熱交換器１６、膨張弁１７および室内熱交換器１４が組み込まれる。室外熱交換器１６は、通過する冷媒と周囲の空気との間で熱エネルギーを交換する。室内熱交換器１４は、通過する冷媒と周囲の空気との間で熱エネルギーを交換する。
【００１８】
室外機１３には送風ファン２３が組み込まれる。送風ファン２３は室外熱交換器１６に通風する。送風ファン２３は例えば羽根車の回転に応じて気流を生成する。送風ファン２３の働きで気流は室外熱交換器１６を通り抜ける。室外の空気は室外熱交換器１６を通り抜け冷媒と熱交換する。熱交換された冷気または暖気の気流は室外機１３から吹き出される。通り抜ける気流の流量は羽根車の回転数に応じて調整される。
【００１９】
室内機１２には送風ファン２４が組み込まれる。送風ファン２４は室内熱交換器１４に通風する。送風ファン２４は羽根車の回転に応じて気流を生成する。送風ファン２４の働きで室内機１２には室内空気が吸い込まれる。室内空気は室内熱交換器１４を通り抜け冷媒と熱交換する。熱交換された冷気または暖気の気流は室内機１２から吹き出される。通り抜ける気流の流量は羽根車の回転数に応じて調整される。
【００２０】
冷凍回路１９で冷房運転が実施される場合には、四方弁１８は第２口１８ｂおよび第３口１８ｃを相互に接続し第１口１８ａおよび第４口１８ｄを相互に接続する。したがって、圧縮機１５の吐出管１５ｂから高温高圧の冷媒が室外熱交換器１６に供給される。冷媒は室外熱交換器１６、膨張弁１７および室内熱交換器１４を順番に流通する。室外熱交換器１６では冷媒から外気に放熱する。膨張弁１７で冷媒は低圧まで減圧される。減圧された冷媒は室内熱交換器１４で周囲の空気から吸熱する。冷気が生成される。冷気は送風ファン２４の働きで室内空間に吹き出される。
【００２１】
冷凍回路１９で暖房運転が実施される場合には、四方弁１８は第２口１８ｂおよび第４口１８ｄを相互に接続し第１口１８ａおよび第３口１８ｃを相互に接続する。圧縮機１５から高温高圧の冷媒が室内熱交換器１４に供給される。冷媒は室内熱交換器１４、膨張弁１７および室外熱交換器１６を順番に流通する。室内熱交換器１４では冷媒から周囲の空気に放熱する。暖気が生成される。暖気は送風ファン２４の働きで室内空間に吹き出される。膨張弁１７で冷媒は低圧まで減圧される。減圧された冷媒は室外熱交換器１６で周囲の空気から吸熱する。その後、冷媒は圧縮機１５に戻る。
【００２２】
（２）室内機の構成
図２は一実施形態に係る室内機１２の外観を概略的に示す。室内機１２は本体２５を備える。本体２５に室内熱交換器１４が支持される。本体２５の正面（前面）にはアウターパネル２６が開閉自在に覆い被さる。
【００２３】
本体２５の底板２７には吹出口２８が形成される。吹出口２８は室内に向けて開口される。本体２５は背面で例えば室内の壁面に固定されることができる。吹出口２８は、室内熱交換器１４で生成される冷気または暖気の気流を吹き出す。
【００２４】
吹出口２８には前後１対の上下風向板２９ａ、２９ｂが配置される。上下風向板２９ａ、２９ｂはそれぞれ水平軸線３１ａ、３１ｂ回りに回転することができる。回転に応じて上下風向板２９ａ、２９ｂは吹出口２８を開閉することができる。上下風向板２９ａ、２９ｂの角度に応じて、吹き出される気流の方向は変えられる。
【００２５】
図３に示されるように、本体２５の天板３２には吸込口３３が形成される。室内熱交換器１４に流入する空気は吸込口３３から取り込まれる。本体２５には天板３２の下方で室内熱交換器１４の前方に複数のエアフィルタアセンブリ３４が着脱自在に装着される。エアフィルタアセンブリ３４は水平軸線３１ａ、３１ｂの軸方向に横並びに並べられる。個々のエアフィルタアセンブリ３４はエアフィルタ３５およびフィルタ清掃ユニット３６を備える。エアフィルタ３５はフィルタ清掃ユニット３６上に支持され保持される。フィルタ清掃ユニット３６は支持枠３７で本体２５に固定される。支持枠３７が本体２５の定位置に装着されると、エアフィルタ３５は室内熱交換器１４の収容空間と吸込口３３に接する空間とに本体２５内の空間を分割する。吸込口３３側の空間の空気はエアフィルタ３５を通過して室内熱交換器１４の収容空間に進入する。
【００２６】
支持枠３７には前側フィルタレール３８が形成される。前側フィルタレール３８はエアフィルタ３５の左右両側に相互に平行に延びる。前側フィルタレール３８の延長線上で本体２５には左右の後側フィルタレール３９が形成される。後側フィルタレール３９はエアフィルタ３５の左右両側に相互に平行に延びる。エアフィルタ３５は左右両側でスライド自在にフィルタレール３８、３９に保持される。フィルタレール３８、３９は水平軸線３１ａ、３１ｂに直交する垂直面に沿って形成される。エアフィルタ３５は、図示しないフィルタ駆動用モータによってフィルタレール３８、３９に沿って前後移動する。
【００２７】
図４に示されるように、個々のフィルタ清掃ユニット３６は上ダストボックス４２および下ダストボックス４３を備える。上ダストボックス４２および下ダストボックス４３は支持枠３７を形成する。上ダストボックス４２および下ダストボックス４３は前後に配置されて相互に重ねられる。上ダストボックス４２および下ダストボックス４３の間にエアフィルタ３５が配置される。エアフィルタ３５の清掃時、概ねエアフィルタ３５の前面の塵埃は上ダストボックス４２のボックス本体４５に回収され、エアフィルタ３５の後面の塵埃は下ダストボックス４３に回収される。
【００２８】
フィルタ清掃ユニット３６は第１従動ギア４６および第２従動ギア４７を備える。第１従動ギア４６は上ダストボックス４２に取り付けられる。第１従動ギア４６は水平軸４８回りで回転する。第１従動ギア４６は、上ダストボックス４２内の清掃ブラシ（図示されず）を回転駆動する。第１従動ギア４６の歯は上ダストボックス４２の外面から部分的に露出する。同様に、第２従動ギア４７は下ダストボックス４３に取り付けられる。第２従動ギア４７は水平軸４９回りで回転する。第２従動ギア４７は、下ダストボックス４３の両端に配置されエアフィルタ３５を駆動する。第２従動ギア４７の歯は下ダストボックス４３の外面から部分的に露出する。エアフィルタアセンブリ３４が本体２５にセットされると、第１従動ギア４６は本体２５に搭載の第１駆動ギア（図示されず）に噛み合い、同様に第２従動ギア４７は本体２５に搭載の第２駆動ギア（図示されず）に噛み合う。個々の駆動ギアには個別に電動モータといった駆動源（図示されず）が連結される。個々の駆動源から供給される駆動力に応じて第１従動ギア４６および第２従動ギア４７は個別に回転する。
【００２９】
本体２５には電気集塵ユニット５１が着脱自在に装着される。ここでは、電気集塵ユニット５１は一方のエアフィルタアセンブリ３４の背後に収納される。吸込口３３から取り込まれた空気は、電気集塵ユニット５１を通過したのち室内熱交換器１４に流入する。花粉などの細かな塵埃は電気集塵ユニット５１で捕獲される。電気集塵ユニット５１はユニット本体５２を備える。ユニット本体５２には前面から後面に抜ける空気の流通路としての通路５２ａが区画される。ユニット本体５２は水平軸線３１ａ、３１ｂに平行に長手方向ＤＲを有する。
【００３０】
図５に示されるように、電気集塵ユニット５１のユニット本体５２は、長手方向（水平方向）ＤＲに振り分けられる第１支持体５４ａおよび第２支持体５４ｂを支持する第１フレーム（ロワーフレーム）５５と、第１フレーム５５に結合されて、第１支持体５４ａおよび第２支持体５４ｂの間の空間に面する吸込口５６を区画する第２フレーム（アッパーフレーム）５７とを有する。第２フレーム５７は、長手方向ＤＲに延びて上下から第１フレーム５５を挟み込む１対の側壁５８を有する。第２フレーム５７の側壁５８は第１フレーム５５の側面５５ａに重なる。第２フレーム５７の側壁５８には長手方向ＤＲに複数の小開口５９が配列される。第１フレーム５５の側面５５ａには係り爪６１が一体に形成される。係り爪６１は小開口５９内に進入して、第１フレーム５５から離れる方向に対して第２フレーム５７の変位を規制する。第１フレーム５５および第２フレーム５７の結合にあたって側壁５８の弾性変形に基づき小開口５９の周囲で側壁５８は係り爪６１を乗り越える。
【００３１】
第２フレーム５７は、ユニット本体５２の長手方向ＤＲに吸込口５６を２つに分割する仕切り６２を有する。ユニット本体５２の長手方向ＤＲに仕切り６２の両側で、第２フレーム５７には、ユニット本体５２の長手方向ＤＲに直交する仮想平面に平行な姿勢でユニット本体５２の長手方向ＤＲに一定の間隔で配列され、吸込口５６を横切る複数の縦桟６３が一体に形成される。仕切り６２は、ユニット本体５２の長手方向ＤＲに縦桟６３よりも大きい寸法（横幅）を有して、縦桟６３に比べて変形しづらい剛性を有する。
【００３２】
第１支持体５４ａおよび第２支持体５４ｂには１本のイオン化線６４が張られる。第１支持体５４ａは第１連結部６５ａと第１巻き掛け部６６ａとを備える。第２支持体５４ｂは第２巻き掛け部６６ｂと第２連結部６５ｂとを備える。第１連結部６５ａにイオン化線６４の一端が連結される。第２連結部６５ｂにイオン化線６４の他端が連結される。イオン化線６４は、第１支持体５４ａの第１連結部６５ａからユニット本体５２の長手方向ＤＲに第２支持体５４ｂに向かって延び、第２巻き掛け部６６ｂに巻き掛けられユニット本体５２の長手方向ＤＲに反対向きに第１支持体５４ａに向かって延び、第１巻き掛け部６６ａに巻き掛けられ再びユニット本体５２の長手方向ＤＲに第２支持体５４ｂに向かって延び、第２連結部６５ｂで第２支持体５４ｂに連結される。イオン化線６４は、第１連結部６５ａおよび第２巻き掛け部６６ｂの間と、第２巻き掛け部６６ｂおよび第１巻き掛け部６６ａの間と、第１巻き掛け部６６ａおよび第２連結部６５ｂの間とに相互に平行に延びる放電部６４ａを有する。イオン化線６４の放電部６４ａは、後述する板片７３あるいは板片７４に対して放電を行うイオン化線６４の部分を指す。放電部６４ａは、気流の流通方向に直交する仮想平面内に位置する。放電部６４ａは、後述する板片７３あるいは板片７４に対して平行に配置されている。イオン化線６４の線方向はユニット本体５２の長手方向ＤＲに一致する。
【００３３】
ユニット本体５２内にはアースブロック６７およびホットブロック６８が組み込まれる。アースブロック６７およびホットブロック６８は、後述されるように、第１フレーム５５に結合される。アースブロック６７は、第１支持体５４ａおよび第２支持体５４ｂの間の空間に配置されてイオン化線６４に平行に広がって気流の流通方向を規定するグラウンド板６９と、グラウンド板６９から連続して、気流の流通方向にイオン化線６４の放電部６４ａの下流に配置され、イオン化線６４の放電部６４ａに直角に交差する仮想平面に平行な姿勢でイオン化線６４の線方向に一定の間隔で配列される複数枚の第１電極板７１からなる集塵電極７２とを備える。アースブロック６７は接地されつつ第１フレーム５５に定位置に支持される。アースブロック６７は例えば半絶縁性樹脂の樹脂成形体で構成される。第２フレーム５７はグラウンド板６９の上流で気流の吸込口５６を区画する。
【００３４】
グラウンド板６９は、ユニット本体５２の長手方向ＤＲに配置される第１板片群６９ａおよび第２板片群６９ｂを有する。第１板片群６９ａは、相互に平行に広がって等間隔に配置される４枚の板片７３を含む。個々の板片７３の板面は対応するイオン化線６４の放電部６４ａに対して等距離に位置する。同様に、第２板片群６９ｂは、相互に平行に広がって等間隔に配置される４枚の板片７４を含む。個々の板片７４の板面は対応するイオン化線６４の放電部６４ａに対して等距離に位置する。第１板片群６９ａおよび第２板片群６９ｂは連結板７５で相互に連結される。連結板７５は第１フレーム５５に支持される。連結板７５の貫通孔（別途付番）には、第１フレーム５５に一体の支柱７６が進入する。集塵電極７２は、ユニット本体５２の長手方向ＤＲに仕切り６２の両側でそれぞれ個別に第１板片群６９ａの板片７３および第２板片群６９ｂの板片７４を支持する。
【００３５】
イオン化線６４には、第１フレーム５５の外面で露出する接点（図示されず）から放電電圧が印加される。イオン化線６４の放電部６４ａからグラウンド板６９の板片７３、７４に向かって放電する。こうしてグラウンド板６９の板片７３、７４同士の間に区画される気流の流通路５２ａで気流に含まれる塵埃はイオン化される。
【００３６】
第１フレーム５５には、ユニット本体５２の長手方向ＤＲに集塵電極７２の両端に連結される２つの係り止め片７７が一体に形成される。図６に示されるように、個々の係り止め片７７は爪７７ａを備える。爪７７ａは、係り止め片７７の弾性変形に応じて、集塵電極７２に一体に形成される板片７８の表面に係り合う。
【００３７】
ホットブロック６８は非集塵電極７９を備える。非集塵電極７９は、第１電極板７１の板面に向き合いつつ一定の間隔で配列される複数枚の第２電極板８１を有する。第２電極板８１はユニット本体５２の長手方向ＤＲに直交する仮想平面に平行な姿勢で一列に並べられる。第１電極板７１と第２電極板８１とは長手方向ＤＲに沿って交互に配置される。隣り合う第１電極板７１と第２電極板８１とは均等な間隔で隔てられればよい。空気流はグラウンド板６９の間を通過して第１電極板７１および第２電極板８１の間を通り抜ける。
【００３８】
第２電極板８１同士は、ユニット本体５２の長手方向ＤＲに平行に延びる２本の連結体８２で連結される。ここでは、連結体８２は連続する枠体８３を構成する。枠体８３の内側に第２電極板８１は配置される。枠体８３は第１フレーム５５に連結される。第１フレーム５５には、枠体８３から外向きに広がる板片８４に係り合う爪８５が一体に形成される。爪８５は、第１フレーム５５から離れる方向に非集塵電極７９の変位を規制する。ホットブロック６８は例えば半絶縁性樹脂の樹脂成形体で構成される。ホットブロック６８には、第１フレーム５５の外面で露出する接点（図示されず）からイオン化線６４に供給される電位と同極の電位が供給される。
【００３９】
ホットブロック６８の第２電極板８１はアースブロック６７のグラウンド板６９から電気的に隔てられる。すなわち、第２電極板８１の上縁にはグラウンド板６９との短絡を回避するための切り欠き８６が形成される。個々の第２電極板８１は切り欠き８６でグラウンド板６９に向き合わせられる。
【００４０】
イオン化線６４の両端にはばね部材８７が連結される。イオン化線６４の両端はばね部材８７を介して第１フレーム５５に連結される。ばね部材８７はそのばねの弾性力に応じてイオン化線６４に張力を与える。
【００４１】
第１フレーム５５には第２フレーム５７の吸込口５６に対応して窓孔９１が区画される。吸込口５６と窓孔９１との間でグラウンド板６９は配列される。グラウンド板６９は吸込口５６から窓孔９１に向かって気流の向きを規制する。
【００４２】
図７に示されるように、第２フレーム５７の仕切り６２にはアースブロック６７の連結板７５に向かって突き出る押さえ片８８が支持される。ここでは、押さえ片８８は仕切り６２に一体に形成される。押さえ片８８は、第１支持体５４ａおよび第２支持体５４ｂの間でイオン化線６４に接触してイオン化線６４の張力を生む。押さえ片８８の働きでイオン化線６４の振動は抑制される。
【００４３】
複数の縦桟６３のうちから選ばれた縦桟６３ａにはグラウンド板６９に向かって膨らむ加圧片８９が一体に形成される。加圧片８９は縦桟６３ａごとに対応する４枚の板片７３、７４に接触する。こうして加圧片８９は第１フレーム５５に向かってグラウンド板６９に押し当てられる。加圧片８９は、第１フレーム５５からグラウンド板６９および集塵電極７２の浮き上がりを防止する。
【００４４】
ここでは、イオン化線６４の線方向（長手方向ＤＲ）に、第１支持体５４ａと仕切り６２との間に２つの加圧片８９は配置され、同様に仕切り６２と第２支持体５４ｂとの間に２つの加圧片８９が配置される。イオン化線６４の線方向に、押さえ片８８から１つ目の加圧片８９までの距離Ａは、押さえ片８８から２つ目の加圧片８９から吸込口５６の縁までの距離Ｃよりも大きく設定される。こうして、吸込口５６のうち通風量が多く汚れやすい中央部分（仕切り６２近傍）の領域で、イオン化線６４とグラウンド板６９との間の第２フレーム５７の距離は十分に確保されることができる。
【００４５】
（３）室内機の動作
送風ファン２４が動作すると、本体２５内では吸込口３３から吹出口２８に向かって気流が生成される。吸込口３３から吸引された空気はエアフィルタ３５を通過して室内熱交換器１４を通過する。冷房運転時には空気は室内熱交換器１４で冷却されて吹出口２８から吹き出される。暖房運転時には空気は室内熱交換器１４で暖められて吹出口２８から吹き出される。
【００４６】
電気集塵ユニット５１ではイオン化線６４に電圧が印加される。電圧の印加に応じてイオン化線６４からグラウンド板６９に向かって放電が実現される。グラウンド板６９に沿って流れる気流中の微粒子は放電で帯電する。非集塵電極７９にイオン化線６４と同極性の電圧が印加されると、帯電した微粒子は、集塵電極７２の第１電極板７１と非集塵電極７９の第２電極板８１との間を通過する際に、第２電極板８１に反発して第１電極板７１に向かって進路を曲げる。こうして微粒子は効率的に集塵電極７２に捕獲される。
【００４７】
電気集塵ユニット５１では第１フレーム５５に第２フレーム５７が結合されると、加圧片８９は第１フレーム５５に向かってグラウンド板６９および集塵電極７２を押し付ける。集塵電極７２の変形は抑制される。グラウンド板６９の変位は抑制される。このとき、加圧片８９は選ばれた縦桟６３ａだけに形成されるので、全ての縦桟６３がグラウンド板６９に接触する場合に比べて、第２フレーム５７とグラウンド板６９との接触面積は著しく抑制される。したがって、イオン化線６４に接触する押さえ片８８とグラウンド板６９との間で高い絶縁抵抗は維持されることができる。たとえ第２フレーム５７に埃や汚れが付着し第２フレーム５７表面の絶縁抵抗が低下しても、イオン化線６４とグラウンド板６９との短絡は回避されることができる。
【００４８】
前述のように、集塵電極７２はユニット本体５２の長手方向ＤＲに両端で第１フレーム５５に係り止めされる。加圧片８９は長手方向ＤＲに両端の間の任意の位置で第１フレーム５５に向かってグラウンド板６９および集塵電極７２を押し当てる。したがって、たとえ集塵電極７２が長く形成されても、集塵電極７２の変形は確実に抑制されることができる。
【００４９】
押さえ片８８を支持する仕切り６２はイオン化線６４の線方向に吸込口５６を２つに分割する。加圧片８９はイオン化線６４の線方向にグラウンド板６９の個々の板片７３、７４ごとに配置される。仕切り６２の位置でグラウンド板６９は途切れることから、集塵電極７２の剛性は仕切り６２の位置で弱まる。それでも、仕切り６２の両側で個々の板片７３、７４ごとに加圧片８９は配置されることから、集塵電極７２の変形は確実に抑制される。
【符号の説明】
【００５０】
１１…空気調和機、５１…電気集塵装置（電気集塵ユニット）、５４ａ…第１支持体、５４ｂ…第２支持体、５５…第１フレーム、５６…吸込口、５７…第２フレーム、６２…仕切り、６３…縦桟、６３ａ…（選ばれた）縦桟、６４…イオン化線、６９…グラウンド板、７１…第１電極板、７２…集塵電極、７７…係り止め片、７９…非集塵電極、８１…第２電極板、８８…押さえ片、８９…加圧片、ＤＲ…線方向（長手方向）。
【図１】
2018122243.tif 000003
【図２】
2018122243.tif 000004
【図３】
2018122243.tif 000005
【図４】
2018122243.tif 000006
【図５】
2018122243.tif 000007
【図６】
2018122243.tif 000008
【図７】
2018122243.tif 000009